(57)【要約】【課題】製造原価を節減することができて、高速映像信号を出力して表示品質を向上させることができる表示装置を提供する。【解決手段】本発明の表示装置の駆動方法は、原映像信号をサブサンプリングして、サンプリングされたサブ映像信号を生成して、サブ映像信号からサブ補間映像信号を生成して、生成されたサブ補間映像信号を再配置して、補間フレームを生成して、補間フレームを含む表示映像を表示装置に表示すること、を含む。【選択図】図５
2010140028.tif 000002
【特許請求の範囲】
【請求項１】
原映像信号をサブサンプリングし、
サブ映像信号を生成し、
前記サブ映像信号からサブ補間映像信号を生成し、
前記サブ補間映像信号を再配置して補間映像信号を生成し、
前記補間映像信号に基づいて、表示映像を表示すること、
を含む表示装置の駆動方法。
【請求項２】
前記表示装置は、内部に複数の画素グループが各々配列された多数の表示ブロックを含む表示パネルを含み、
前記表示映像は、前記表示パネル上に表示され、
前記サブ映像信号は、サブ映像に対応し、前記サブ映像は、前記多数の表示ブロック上に表示される前記表示映像を分割したｋ個の映像から各々サンプリングされた映像を含むことを特徴とする請求項１に記載の表示装置の駆動方法（ｋは２以上の自然数）。
【請求項３】
前記各表示ブロックは、前記ｋ個に分割した映像に対応する前記ｋ個の画素グループを含み、
前記原映像信号をサブサンプリングすることは、
前記各表示ブロックから何れか一つの画素グループを選択し、前記ｋ個の画素グループのうち何れか一つに対応する前記原映像信号をサンプリングすることを含むことを特徴とする請求項２に記載の表示装置の駆動方法。
【請求項４】
前記サブ補間映像信号を生成することは、
前記サブ映像に対応する前記サブ映像信号から前記サブ映像補間信号を生成するｋ個の映像補間チップによって実行されることを特徴とする請求項２に記載の表示装置の駆動方法。
【請求項５】
前記表示パネルは、前記表示ブロックの個数に前記ｋを乗じた解像度を有し、
前記各映像補間チップは、前記表示パネルの１／ｋの解像度を有する映像に対応する前記原映像信号の一部を処理することを特徴とする請求項４に記載の表示装置の駆動方法。
【請求項６】
前記原映像信号のサブサンプリングおよび前記サブ補間映像信号の生成は、
前記原映像信号をイーブンデータとオッドデータとに分けて処理することによって行なわれることを特徴とする請求項１に記載の表示装置の駆動方法。
【請求項７】
前記イーブンデータと前記オッドデータとは、前記各映像補間チップの互いに異なる映像補間チップに入力されて、前記サブ補間映像信号が生成されることを特徴とする請求項６に記載の表示装置の駆動方法。
【請求項８】
前記原映像信号の連続する二つのフレームが動的であれば、
連続する二つのフレームに対し、前記原映像信号をサブサンプリングして前記サブ補間映像信号を生成し、前記サブ補間映像信号を再配置して前記補間映像信号を生成することを特徴とする請求項１に記載の表示装置の駆動方法。
【請求項９】
前記原映像信号の連続する二つのフレームが静的であれば、
連続する二つのフレームに対し、直前フレームに対応する前記原映像信号を前記補間映像信号として使用することを特徴とする請求項１に記載の表示装置の駆動方法。
【請求項１０】
各表示ブロックがｋ個の画素グループを含む多数の表示ブロックに対して、前記ｋ個の画素グループのうち一つの画素グループに対応する原映像信号をサブサンプリングし、
前記サブサンプリングされた前記原映像信号からサブ映像信号を抽出し、
前記サブ映像信号からサブ補間映像信号を生成し、
前記サブ補間映像信号を利用して前記表示ブロックのうち何れか一つに含まれたｋ個の画素グループのうちサンプリングされない画素に対応する補間映像信号を生成し、
前記補間映像信号に基づいて補間フレームを生成し、
前記補間フレームを含む表示映像を表示すること、
を含み、
前記表示映像は、前記表示パネル上に表示され、
前記サブ映像信号は、サブ映像に対応し、前記サブ映像は、前記多数の表示ブロック上に表示される前記表示映像を分割したｋ個の映像から各々サンプリングされた映像を含むことを特徴とする表示装置の駆動方法（ｋは２以上の自然数）。
【請求項１１】
前記原映像信号をサブサンプリングすることは、
前記ｋ個の画素グループのうち一つの画素グループを規則的に選択し、
前記規則的に選択された前記ｋ個の画素グループのうち一つの画素グループに対応する前記原映像信号をサンプリングすることを含むことを特徴とする請求項１０に記載の表示装置の駆動方法。
【請求項１２】
前記表示パネルは、前記表示ブロックの個数に前記ｋを乗じた解像度を有し、
前記サブ補間映像信号を生成することは、
前記表示パネルの１／ｋの解像度を有する映像に対応する映像信号を処理する映像補間チップによって実行されることを特徴とする請求項１０に記載の表示装置の駆動方法。
【請求項１３】
前記補間映像信号を生成することは、
前記サンプリングされない画素に対応する前記サブ映像信号から生成された前記サブ補間映像信号を補間することを含むことを特徴とする請求項１０に記載の表示装置の駆動方法。
【請求項１４】
前記原映像信号の連続する二つのフレームが動的であれば、
連続する二つのフレームに対し、前記原映像信号をサブサンプリングし、前記サブ補間映像信号を生成して前記サブ補間映像信号を再配置し、前記補間映像信号を生成することを特徴とする請求項１０に記載の表示装置の駆動方法。
【請求項１５】
前記原映像信号の連続する二つのフレームが静的であれば、
連続する二つのフレームに対し、直前フレームに対応する前記原映像信号を前記補間映像信号として使用することを特徴とする請求項１０に記載の表示装置の駆動方法。
【請求項１６】
原映像信号をサブサンプリングするサブサンプラと、
前記サブサンプリングされて生成されたサブ映像信号からサブ補間映像信号を生成するモーション補間部と、
前記生成されたサブ補間映像信号が再配置された補間映像信号を出力する映像再配置部と、
前記補間映像信号に対応する補間フレームを含む表示映像を表示する表示パネルと、
を含む表示装置。
【請求項１７】
前記表示パネルは、各々ｋ個の画素グループを含む多数の表示ブロックを含み、
前記サブ映像信号は、サブ映像に対応し、前記サブ映像は、前記表示映像の一部を分割したｋ個の映像から特定の規則によって各々サンプリングされた映像を含むことを特徴とする請求項１６に記載の表示装置（ｋは２以上の自然数）。
【請求項１８】
前記サブサンプラは、前記原映像をサブサンプリングし、
前記モーション補間部は、前記原映像信号をイーブンデータとオッドデータとに分割して、前記サブ補間映像信号を生成することを特徴とする請求項１６に記載の表示装置。
【請求項１９】
前記サブサンプラは、前記各表示ブロックがｋ個の画素グループを含む前記多数の表示ブロックそれぞれの何れか一つの画素グループに対応する原映像信号をサブサンプリングしたサブ映像信号を抽出し、
前記表示装置は、前記サブサンプリングされたサブ映像信号から生成された前記サブ補間映像信号を利用してサンプリングされない画素グループに対応する補間映像信号を生成するアップ−コンバータをさらに含み、
前記映像再配置部は、前記サブサンプリングされたサブ映像信号から生成された前記サブ補間映像信号と、前記サンプリングされない画素に対応する前記補間映像信号を再配置することを特徴とする請求項１７に記載の表示装置。
【発明の詳細な説明】
【技術分野】
【０００１】
本発明は表示装置とその駆動方法に関するものであって、より詳細には製造原価を実質的に節減することができ、高速映像信号を出力して表示品質を実質的に向上させることができる表示装置とその駆動方法に関するものである。
【背景技術】
【０００２】
最近、表示装置の表示品質を向上させるために、本来のフレーム（Ｏｒｉｇｉａｎｌ  Ｆｒａｍｅｓ）の間に物体の動きを補償するための補間フレーム（Ｉｎｔｅｒｐｏｌａｔｅｄ  Ｆｒａｍｅｓ）を挿入する技術が開発されている。一般的に、表示装置には１秒当たり６０枚のフレームに対応する映像情報が提供されるが、前記技術は、補間フレームに対する映像情報を生成して、１秒当たり１２０枚のフレームで作られる映像を表示装置で表示することができるようにする。
【０００３】
このような技術を実現するために、表示装置は、補間フレームを含む高速映像信号を出力するモーション補間部を含み得る。
【０００４】
本来のフレームの間により多くの数の補間フレームを挿入するほど表示装置の表示品質は向上することができる。しかし、より多くの数の補間フレームを挿入するためには、より多くの補間フレームを含むより高速の映像信号を出力できる映像補間チップを必要とする。また、表示装置の解像度が高くなるにつれ、各映像補間チップが処理しなければならないデータ量が増加する。このようなより高速の映像信号を出力できる映像補間チップおよび／または大容量のデータを処理できる映像補間チップを開発するためには、多くの時間と費用が必要とされる。
【先行技術文献】
【特許文献】
【０００５】
【特許文献１】大韓民国特許公開２００６−００９９３５１号公報
【発明の概要】
【発明が解決しようとする課題】
【０００６】
本発明が解決しようとする課題は、製造原価を節減することができ、高速映像信号を出力して表示品質を向上させることができる表示装置を提供するものである。
【０００７】
本発明が解決しようとする他の課題は、製造原価を節減することができ、高速映像信号を出力して表示品質を向上させることができる表示装置の駆動方法を提供するものである。
【０００８】
本発明が解決しようとする課題は、以上で言及した課題に制限されず、言及されていないまた他の課題は、次の記載から当業者に明確に理解できるであろう。
【課題を解決するための手段】
【０００９】
前記課題を解決するための本発明の表示装置の一実施形態に係る表示装置は、原映像信号をサブサンプリングしてサブ映像信号を生成するサブサンプラ、サブサンプリングされたサブ映像信号からサブ補間映像信号を生成するモーション補間部、生成されたサブ補間映像信号を再配置して補間映像信号を出力する映像再配置部、および補間映像信号に対応する補間フレームを含む表示映像を表示する表示パネルを含む。
【００１０】
前記他の課題を解決するための本発明の一実施形態に係る表示装置の駆動方法は、原映像信号をサブサンプリングし、サブ映像信号を生成し、サブ映像信号からサブ補間映像信号を生成し、サブ補間映像信号を再配置して補間映像信号を生成し、補間映像信号に基づいて、表示映像を表示すること、を含む。
【００１１】
他の課題を解決するための本発明の他の実施形態に係る表示装置の駆動方法は、各表示ブロックがｋ個の画素グループを含む多数の表示ブロックに対して、ｋ個の画素グループのうち一つの画素グループに対応する原映像信号をサブサンプリングし、サブサンプリングされた原映像信号からサブ映像信号を抽出し、サブ映像信号からサブ補間映像信号を生成し、サブ補間映像信号を利用して表示ブロックのうち何れか一つに含まれたｋ個の画素グループのうちサンプリングされない画素に対応する補間映像信号を生成し、補間映像信号に基づいて補間フレームを生成し、補間フレームを含む表示映像を表示すること、を含む。ここで、表示映像は、表示パネル上に表示され、サブ映像信号は、サブ映像に対応し、サブ映像は、多数の表示ブロック上に表示される表示映像を分割したｋ個の映像から各々サンプリングされた映像を含む（ｋは、２以上の自然数）。
【００１２】
その他実施形態の具体的な内容は詳細な説明および図に含まれている。
【発明の効果】
【００１３】
前述したように本発明による表示装置およびその駆動方法によれば、表示パネルの解像度をｋで割った映像に対応する映像信号を処理できる第１ないし第４映像補償部を用いて高速映像を出力することができる。
【図面の簡単な説明】
【００１４】
【図１】本発明のいくつかの実施形態による表示装置を説明するためのブロック図である。
【図２】図１に示す表示パネルに含まれる一画素の等価回路図である。
【図３】図１に示す表示装置の信号制御部を説明するためのブロック図である。
【図４】図３に示す信号制御部の映像信号処理部を説明するためのブロック図である。
【図５】図４に示す映像信号処理部のサブサンプラが実行するサブサンプリングを説明するための図である。
【図６】図４に示す映像信号処理部の各映像補間チップを説明するためのブロック図である。
【図７】図１に示す表示装置でモーションベクターを算出してサブ補間フレームを生成するのを説明するための概念図である。
【図８】図４に示す映像信号処理部の映像再配置部がサブ補間フレームに対応するサブ補間映像信号から補間フレームに対応する補間映像信号を出力することを説明するためのブロック図である。
【図９】図８に示す過程によって生成された補間フレームを説明するための図である。
【図１０】本発明の第２の実施形態による表示装置が含む映像信号処理部を説明するためのブロック図である。
【図１１】図１０に示す映像信号処理が映像を出力することを説明するためのブロック図である。
【図１２】本発明の第３の実施形態による表示装置に含まれる映像信号処理部を説明するためのブロック図である。
【図１３】図１２に示すサブサンプリングによって抽出されたサブ映像とアップ−コンバータによって出力される補間フレームを示すための図である。
【図１４】本発明の第４の実施形態による表示装置に含まれる映像信号処理部を説明するためのブロック図である。
【図１５】本発明の第４の実施形態による表示装置の駆動方法を説明するためのフローチャートである。
【発明を実施するための形態】
【００１５】
本発明の利点、特徴、およびそれらを達成する方法は、図面と共に詳細に後述される実施形態を参照すると明確になるであろう。しかし、本発明は、以下で開示される実施形態に限定されるものではなく、互いに異なる多様な形態で実現されることが可能である。本実施形態は、単に本発明の開示が完全になるように、本発明が属する技術分野で通常の知識を有する者に対して発明の範疇を完全に知らせるために提供されるものであり、本発明は、請求項の範疇によってのみ定義される。なお、明細書全体にかけて、同一の参照符号は同一の構成要素を指すものとする。
【００１６】
第１、第２等は、多様な素子、構成要素および／またはセクションを説明するために使用される。しかしながら、これら素子、構成要素および／またはセクションは、これらの用語によって制限されないことはもちろんである。これらの用語は単に一つの素子、構成要素、またはセクションを他の素子、構成要素、またはセクションと区別するために使用されるものである。したがって、以下で言及される第１素子、第１構成要素、または第１セクションは、本発明の技術的思想内で第２素子、第２構成要素、または第２セクションであり得ることはもちろんである。
【００１７】
本明細書で使用された用語は、実施形態を説明するためであり、本発明を制限しようとするものではない。本明細書において単数形は、文言で特別に言及しない限り、複数形をも含む。明細書で使用される「含む（ｃｏｍｐｒｉｓｅｓ）」および／または「含む（ｃｏｍｐｒｉｓｉｎｇ）」は、言及した構成要素、段階、動作、および／または素子は、一つ以上の他の構成要素、段階、動作、および／または素子の存在または追加を排除しない。
【００１８】
図１〜図９を参照して本発明の第１の実施形態による表示装置とその駆動方法を説明する。
【００１９】
図１は、本発明のいくつかの実施形態による表示装置を説明するためのブロック図である。図２は、図１に示す表示装置１０の表示パネルに含まれる一画素の等価回路図である。
【００２０】
図１を参照すると、表示装置１０は、表示パネル３００、信号制御部６００、ゲートドライバ４００、データドライバ５００、および階調電圧発生部７００を含む。
【００２１】
図１に示すように、表示パネル３００は、多数のゲートライン（Ｇ１〜Ｇｌ）、多数のデータライン（Ｄ１〜Ｄｍ）、および実質的にマトリックスパターンで配列された多数の画素（ＰＸ）を含む。ゲート線（Ｇ１〜Ｇｌ）は、略行方向に延長されて互いが実質的に平行であり、データ線（Ｄ１〜Ｄｍ）は、略列方向に延長されて互いが実質的に平行である。いくつかの実施形態において、ゲートライン（Ｇ１〜Ｇｌ）とデータライン（Ｄ１〜Ｄｍ）とが交差する領域に画素（ＰＸ）が定義される。ゲートドライバ４００からゲートライン（Ｇ１〜Ｇｌ）にゲート信号が入力されて、データドライバ５００からデータライン（Ｄ１〜Ｄｍ）に映像データ電圧が入力される。画素（ＰＸ）は、映像データ電圧に応答して映像を表示する。
【００２２】
後述するように、信号制御部６００は、高速映像信号（ＲＧＢ＿ｍｔｐ）をデータドライバ５００に出力することができ、データドライバは、高速映像信号（ＲＧＢ＿ｍｔｐ）に対応する映像データ電圧を出力する。画素（ＰＸ）は、映像データ電圧に応答して映像を表示するため、表示パネル３００に含まれる画素（ＰＸ）は高速映像信号（ＲＧＢ＿ｍｔｐ）に対応する高速映像を表示することができる。
【００２３】
表示パネル３００は、各表示ブロックが実質的にマトリックス形状で配列された多数の画素（ＰＸ）を含む表示ブロックからなる。本発明の実施形態において、各表示ブロックは、ｋ個の画素グループ（ｋは２以上の自然数）を含む。表示ブロックおよび画素グループについては図５、図９および図１３を参照して後述する。
【００２４】
図２に一画素に対する等価回路が図示されている。画素（ＰＸ）、例えばｉ番目（ｉ＝１〜ｌ）ゲートライン（Ｇｉ）とｊ番目（ｊ＝１〜ｍ）データライン（Ｄｊ）に接続された画素（ＰＸ）は、ゲートライン（Ｇｉ）およびデータライン（Ｄｊ）に接続されたスイッチング素子（Ｑ）と、これに接続された液晶キャパシタ（ｌｉｑｕｉｄ  ｃｒｙｓｔａｌ  ｃａｐａｃｉｔｏｒ）（Ｃｌｃ）およびストレージキャパシタ（ｓｔｏｒａｇｅ  ｃａｐａｃｉｔｏｒ）（Ｃｓｔ）を含む。液晶キャパシタ（Ｃｌｃ）は、二つの電極、例えば、図示するように第１表示板１００の画素電極（ＰＥ）と、第２表示板２００の共通電極（ＣＥ）と、前記二つの電極の間に介在された液晶分子１５０とから構成される。共通電極（ＣＥ）の一部にはカラーフィルタ（ＣＦ）が形成される。
【００２５】
再び図１を参照すると、信号制御部６００は、原映像信号（ＲＧＢ＿ｏｒｇ）および原映像信号（ＲＧＢ＿ｏｒｇ）の表示を制御する外部制御信号（例えば、データイネーブル信号ＤＥ、水平同期信号Ｈｓｙｎｃ、垂直同期信号Ｖｓｙｎｃ、メインクロック信号Ｍｃｌｋ）の入力を受け、高速映像信号（ＲＧＢ＿ｍｔｐ）、ゲート制御信号（ＣＯＮＴ１）、およびデータ制御信号（ＣＯＮＴ２）を出力する。
【００２６】
ここで、高速映像信号（ＲＧＢ＿ｍｔｐ）の周波数は、原映像信号（ＲＧＢ＿ｏｒｇ）の周波数より大きな映像周波数を有する。ここで、「高速映像信号（ＲＧＢ＿ｍｔｐ）の周波数」は、「高速映像信号（ＲＧＢ＿ｍｔｐ）を画面に表示するときのフレーム周波数」を意味し、「原映像信号（ＲＧＢ＿ｏｒｇ）の周波数」は、「原映像信号（ＲＧＢ＿ｏｒｇ）を画面に表示するときの周波数」を意味する。例えば、原映像信号（ＲＧＢ＿ｏｒｇ）の周波数は６０Ｈｚであってもよく、高速映像信号（ＲＧＢ＿ｍｔｐ）の周波数は１２０Ｈｚであってもよいが、これに限定されない。
【００２７】
具体的に、信号制御部６００は、原映像信号（ＲＧＢ＿ｏｒｇ）の入力を受けて高速映像信号（ＲＧＢ＿ｍｔｐ）を出力する。信号制御部６００は、また、外部から外部制御信号（垂直同期信号Ｖｓｙｎｃ、水平同期信号Ｈｓｙｎｃ、メインクロック信号Ｍｃｌｋ、データイネーブル信号ＤＥなど）の入力を受けてゲート制御信号（ＣＯＮＴ１）およびデータ制御信号（ＣＯＮＴ２）を生成する。ゲート制御信号（ＣＯＮＴ１）は、ゲートドライバ４００の動作を制御するための信号であり、データ制御信号（ＣＯＮＴ２）は、データドライバ５００の動作を制御するための信号である。信号制御部６００については、図３を参照してさらに詳細に説明する。
【００２８】
ゲートドライバ４００は、信号制御部６００からゲート制御信号（ＣＯＮＴ１）の提供を受けて、ゲート信号をゲートライン（Ｇ１〜Ｇｌ）に印加する。ここで、ゲート信号は、ゲートオン／オフ電圧発生部（図示せず）から提供されたゲートオン電圧（Ｖｏｎ）とゲートオフ電圧（Ｖｏｆｆ）との組合せからなる。
【００２９】
データドライバ５００は、信号制御部６００からデータ制御信号（ＣＯＮＴ２）の提供を受けて、高速映像信号（ＲＧＢ＿ｍｔｐ）に対応する映像データ電圧をデータライン（Ｄ１〜Ｄｍ）に印加する。高速映像信号（ＲＧＢ＿ｍｔｐ）に対応する映像データ電圧は、階調電圧発生部７００から提供された電圧である。
【００３０】
階調電圧発生部７００は、高速映像信号（ＲＧＢ＿ｍｔｐ）が有する階調に基づいた階調を有する映像データ電圧に駆動電圧（ＡＶＤＤ）を分割し、駆動電圧（ＡＶＤＤ）を分割した映像データ電圧をデータドライバ５００に提供する。階調電圧発生部７００は、駆動電圧（ＡＶＤＤ）が印加されるノードとグラウンドとの間に互いに電気的に直列接続された複数の抵抗を含み、駆動電圧（ＡＶＤＤ）の電圧レベルを分割して多数の階調電圧を生成する。階調電圧発生部７００の内部回路は、これに限定されず、多様に実現することができる。
【００３１】
図３は、図１に示す表示装置１０の信号制御部を説明するためのブロック図である。図３を参照すると、信号制御部６００は、映像信号処理部６００＿１と、制御信号生成部６００＿２を含む。
【００３２】
映像信号処理部６００＿１は、表示装置の表示品質を実質的に向上させるために、本来のフレームの間に物体（図７のＯＢＪ参照）の動きが補償された補間フレームを挿入して出力する。すなわち、図３に示すように、映像信号処理部６００＿１は、原映像信号（ＲＧＢ＿ｏｒｇ）の入力を受けて、高速映像信号（ＲＧＢ＿ｍｔｐ）を出力する。映像信号処理部６００＿１の細部の構成及び機能に対しては図４を参照して後述する。
【００３３】
制御信号生成部６００＿２は、外部から外部制御信号（例えば、ＤＥ、Ｈｓｙｎｃ、Ｖｓｙｎｃ、Ｈｓｙｎｃ、Ｍｃｌｋ）の入力を受けてゲート制御信号（ＣＯＮＴ１）およびデータ制御信号（ＣＯＮＴ２）を生成する。
【００３４】
ゲート制御信号（ＣＯＮＴ１）は、ゲートドライバ４００の動作を制御するための信号である。例えば、ゲート制御信号（ＣＯＮＴ１）は、ゲートドライバ４００の動作を開始する垂直開始信号（ＳＴＶ）、ゲートオン電圧の出力時期を決定するゲートクロック信号（ＣＰＶ）およびゲートオン電圧のパルス幅を決定する出力イネーブル信号（ＯＥ）などを含む。データ制御信号（ＣＯＮＴ２）は、データドライバ５００の動作を制御する信号である。例えば、データ制御信号（ＣＯＮＴ２）は、データドライバ５００の動作を開始する水平開始信号（ＳＴＨ）および映像データ電圧の出力を指示する出力指示信号（ＴＰ）などを含む。
【００３５】
図４は、図３に示す表示装置１０の映像信号処理部を説明するためのブロック図である。図５は、図４に示す映像信号処理部のサブサンプラが実行するサブサンプリングを説明するための図である。以下の図でｆｒｍ１は直前フレームを、ｆｒｍ２は現在フレームを、ｆｒｍ１．５は直前フレームと現在フレームとの間に挿入される補間フレームすなわち、１／２補間フレームを各々意味する。
【００３６】
図４および図５を参照すると、映像信号処理部６００＿１は、原映像信号（ＲＧＢ＿ｏｒｇ）をサブサンプリングして、サブ映像信号（ｓａｍｐｌｅ＃１、ｓａｍｐｌｅ＃２、ｓａｍｐｌｅ＃３、ｓａｍｐｌｅ＃４）を各々生成する。映像信号処理部６００＿１は、サブ映像信号（ｓａｍｐｌｅ＃１、ｓａｍｐｌｅ＃２、ｓａｍｐｌｅ＃３、ｓａｍｐｌｅ＃４）からサブ補間フレーム（ｆｒｍ１．５＿＃１、ｆｒｍ１．５＿＃２、ｆｒｍ１．５＿＃３、ｆｒｍ１．５＿＃４）に対応するサブ補間映像信号を各々生成する。映像信号処理部６００＿１は、生成されたサブ補間映像信号を再配置して補間フレーム（ｆｒｍ１．５）に対応する補間映像信号を出力する。その結果、本発明の実施形態による映像信号処理部６００＿１は、直前フレーム（ｆｒｍ１）と現在フレーム（ｆｒｍ２）との間に挿入される補間フレーム特に、１／２補間フレーム（ｆｒｍ１．５）を含む高速映像（ＲＧＢ＿ｍｔｐ）を出力する。
【００３７】
映像信号処理部６００＿１は、例えば、図４に示すようにサブサンプラ６１０、モーション補間部（第１モーション補償部６２０、第２モーション補償部６３０、第３モーション補償部６４０、第４モーション補償部６５０を含む）、第１メモリ６２８、第２メモリ６３８、第３メモリ６４８、第４メモリ６５８、および映像再配置部６６０を含む。
【００３８】
サブサンプラ６１０は、原映像信号（ＲＧＢ＿ｏｒｇ）をサブサンプリングして一映像フレームに対応する原映像信号（ＲＧＢ＿ｏｒｇ）をｋ個に分割したサブ映像信号、例えば第１ないし第４サブ映像信号（ｓａｍｐｌｅ＃１、ｓａｍｐｌｅ＃２、ｓａｍｐｌｅ＃３、ｓａｍｐｌｅ＃４）を各々出力する。第１ないし第４サブ映像信号（ｓａｍｐｌｅ＃１、ｓａｍｐｌｅ＃２、ｓａｍｐｌｅ＃３、ｓａｍｐｌｅ＃４）は、各々画素グループ、例えば、複数の画素（ＰＸ）を含む複数の表示ブロックに対応するサブ映像（ｓｕｂ−ｓａｍｐｌｅ  ｉｍａｇｅ）に対応し、これについては図５を参照して後述する。ここでｋは２以上の自然数であり、図４は、一映像フレームに対応する原映像信号（ＲＧＢ＿ｏｒｇ）を４分割した例（すなわち、ｋ＝４）を図示している。この場合、第１ないし第４サブ映像信号（ｓａｍｐｌｅ＃１、ｓａｍｐｌｅ＃２、ｓａｍｐｌｅ＃３、ｓａｍｐｌｅ＃４）は、一映像フレームに対応する原映像信号（ＲＧＢ＿ｏｒｇ）を４分割した各々に対応する。サブサンプリングについては図５を参照してより詳細に後述する。
【００３９】
図４に示すように、モーション補間部は、サブサンプリングされたサブ映像信号（ｓａｍｐｌｅ＃１、ｓａｍｐｌｅ＃２、ｓａｍｐｌｅ＃３、ｓａｍｐｌｅ＃４）からサブ補間フレーム（ｆｒｍ１．５＿＃１、ｆｒｍ１．５＿＃２、ｆｒｍ１．５＿＃３、ｆｒｍ１．５＿＃４）に対応するサブ補間映像信号を生成する。
【００４０】
モーション補間部は、ｋ個の映像補償部、例えば第１モーション補償部６２０、第２モーション補償部６３０、第３モーション補償部６４０、第４モーション補償部６５０を含み、ここでは、ｋは例示的に４である。第１モーション補償部６２０、第２モーション補償部６３０、第３モーション補償部６４０、第４モーション補償部６５０（以下、「映像補間チップ」とも呼ぶ）は、現在フレームｆｒｍ２および直前フレームｆｒｍ１に対応するサブ映像信号の提供を受ける。さらに具体的に、第１モーション補償部６２０、第２モーション補償部６３０、第３モーション補償部６４０、第４モーション補償部６５０は、サブサンプラ６１０から現在フレームのサブ映像（ｆｒｍ２＿＃１、ｆｒｍ２＿＃２、ｆｒｍ２＿＃３、ｆｒｍ２＿＃４）に対応するサブ映像信号の提供を受けて、各メモリ、例えば、第１メモリ６２８、第２メモリ６３８、第３メモリ６４８、第４メモリ６５８に保存された直前フレームのサブ映像（ｆｒｍ１＿＃１、ｆｒｍ１＿＃２、ｆｒｍ１＿＃３、ｆｒｍ１＿＃４）に対応するサブ映像信号を読み出して、現在フレームと直前フレームとに対応するサブ映像信号の入力を受ける。
【００４１】
第１モーション補償部６２０、第２モーション補償部６３０、第３モーション補償部６４０、第４モーション補償部６５０は、６０枚のフレームに対応するサブ映像信号（ｓａｍｐｌｅ＃１、ｓａｍｐｌｅ＃２、ｓａｍｐｌｅ＃３、ｓａｍｐｌｅ＃４）を各々提供される。次いで、第１モーション補償部６２０、第２モーション補償部６３０、第３モーション補償部６４０、第４モーション補償部６５０は、サブ映像信号の現在フレームと直前フレームとの間に挿入されるサブ補間フレーム（ｆｒｍ１．５＿＃１、ｆｒｍ１．５＿＃２、ｆｒｍ１．５＿＃３、ｆｒｍ１．５＿＃４）に対応するサブ補間映像信号を生成して出力する。
【００４２】
第１映像補間チップ６２０を例にあげて説明すると、第１映像補間チップ６２０は、現在フレームのサブ映像（ｆｒｍ２＿＃１）に対応する映像信号と直前フレームのサブ映像（ｆｒｍ１＿＃１）に対応する映像信号からサブ補間フレーム（ｆｒｍ１．５＿＃１）に対応する映像信号を生成する。第１映像補間チップ６２０は、サブ補間フレーム（ｆｒｍ１．５＿＃１）に対応する映像信号と直前フレームのサブ映像（ｆｒｍ１＿＃１）に対応する映像信号とを出力する。第２モーション補償部６３０、第３モーション補償部６４０、第４モーション補償部６５０にも実質的に同一の説明が適用され得る。サブ補間映像信号を生成することについては図６および図７を参照して後述する。
【００４３】
映像再配置部６６０は、生成されたサブ補間フレーム（ｆｒｍ１．５＿＃１、ｆｒｍ１．５＿＃２、ｆｒｍ１．５＿＃３、ｆｒｍ１．５＿＃４）に対応する映像信号を再配置して補間フレーム（ｆｒｍ１．５）に対応する補間映像信号を出力する。映像再配置部６６０は、また、直前フレームのサブ映像（ｆｒｍ１＿＃１、ｆｒｍ１＿＃２、ｆｒｍ１＿＃３、ｆｒｍ１＿＃４）に対応する映像信号を再配置して直前フレーム（ｆｒｍ１）に対応する映像信号を出力する。
【００４４】
したがって、映像再配置部６６０は、第１モーション補償部６２０、第２モーション補償部６３０、第３モーション補償部６４０、第４モーション補償部６５０が出力する映像信号を再配置して、直前フレームと現在フレームとの間に補間フレームが挿入された２倍速の高速映像信号（ＲＧＢ＿ｍｔｐ）すなわち、１２０枚のフレームで作られる１２０Ｈｚ映像信号を出力する。モーション補償部（６２０、６３０、６４０、６５０）が出力する映像信号を再配置して高速映像信号を出力することについては図８および図９を参照してより詳細に説明する。
【００４５】
図４および図５を参照してサブサンプリングをより詳細に説明する。図５は、図４に示すサブサンプラが実行するサブサンプリングを説明するための図である。
【００４６】
図５において各四角形、例えば「ａ１」は、表示パネルに含まれる各画素グループを意味し、画素グループは、表示パネル３００に含まれた表示ブロック内に配列される。図５の各四角形内に満たされているａ１ないしｄ４は、各画素ブロックに表示される表示映像に対応する映像信号を意味する。例えば、図５では４×４マトリックス形状で配列された１６個の画素グループを含む表示パネルを例示的に図示している。各画素グループは、赤画素（ＰＸＲ）、緑画素（ＰＸＧ）、および青画素（ＰＸＢ）を各々含んでもよい。
【００４７】
表示パネルは、各表示ブロックがｋ個の画素グループを含む多数の表示ブロックを含んでもよい。ここで、ｋは２以上の自然数である。図５では、各表示ブロックが４個の画素グループを含む（すなわち、ｋは４である場合）４個の表示ブロックを例示的に図示している。各表示ブロックに対し、映像信号（ａ１、ｂ１、ｃ１、ｄ１）からなる映像、映像信号（ａ２、ｂ２、ｃ２、ｄ２）からなる映像、映像信号（ａ３、ｂ３、ｃ３、ｄ３）からなる映像、および映像信号（ａ４、ｂ４、ｃ４、ｄ４）からなる映像のうち一つが表示ブロックにより表示される。さらに具体的に、図５に示すように、第１表示ブロック（ＤＢ１）は、原映像信号（ａ１、ｂ１、ｃ１、ｄ１）に対応して、第２表示ブロック（ＤＢ２）は原映像信号（ａ２、ｂ２、ｃ２、ｄ２）に対応する。同様に、第３表示ブロック（ＤＢ３）は原映像信号（ａ３、ｂ３、ｃ３、ｄ３）に対応して、第４表示ブロック（ＤＢ４）は原映像信号（ａ４、ｂ４、ｃ４、ｄ４）に対応する。
【００４８】
原映像（ｏｒｉｇｉｎａｌ  ｉｍａｇｅ）に対応する原映像信号をサブサンプリングすることは、各表示ブロック（ＤＢ１〜ＤＢ４）から規則的に何れか一つの画素グループを選択して、前記選択された画素グループに対応する原映像信号をサンプリングすることを含む。具体的に、図５で各表示ブロックから各表示ブロックの左側上段に配置された画素グループを選択してもよい。そして、第１表示ブロック（ＤＢ１）、第２表示ブロック（ＤＢ２）、第３表示ブロック（ＤＢ３）、第４表示ブロック（ＤＢ４）から選択された画素グループに対応する原映像信号（ａ１、ａ２、ａ３、ａ４）を各々サンプリングして第１サブ映像信号（ｓａｍｐｌｅ＃１）を抽出する。第１サブ映像信号（ｓａｍｐｌｅ＃１）は、原映像の１／４の解像度を有する。
【００４９】
そして、各表示ブロック（ＤＢ１〜ＤＢ４）から各表示ブロックの右側上段に配置された画素グループを選択して、選択された画素グループに対応する原映像信号（ｂ１、ｂ２、ｂ３、ｂ４）をサンプリングして第２サブ映像信号（ｓａｍｐｌｅ＃２）を抽出する。同様に、原映像信号（ｃ１、ｃ２、ｃ３、ｃ４）をサンプリングして第３サブ映像信号（ｓａｍｐｌｅ＃３）を抽出し、原映像信号（ｄ１、ｄ２、ｄ３、ｄ４）をサンプリングして第４サブ映像信号（ｓａｍｐｌｅ＃４）を抽出する。すなわち、各サブ映像（ｓｕｂ−ｓａｍｐｌｅ  ｉｍａｇｅ）は、各表示ブロックが表示する映像をｋ個で分割した映像のうち何れか一つずつを組み合わせた映像であってもよい。
【００５０】
図６は、図４に示す映像信号処理部の第１モーション補償部６２０、第２モーション補償部６３０、第３モーション補償部６４０、第４モーション補償部６５０を説明するためのブロック図である。図６を参照して第１映像補償部６２０に対してのみ例示的に説明するが、第２ないし第４映像補償部（６３０ないし６５０）に対しても実質的に同一の説明が適用される。
【００５１】
図６を参照すると、第１映像補間チップ６２０は、直前フレームのサブ映像（ｆｒｍ１＿＃１）と現在フレームのサブ映像（ｆｒｍ２＿＃１）とを比較して、同一の物体（ＯＢＪ）のモーションベクタ（ＭＶ）を算出して、算出されたモーションベクタ（ＭＶ）を利用してサブ補間フレーム（ｆｒｍ１．５＿＃１）に対応する映像信号を出力する。
【００５２】
第１映像補間チップ６２０は、例えば、図６に示すように輝度／色差分離部６２２とモーションベクターディテクタ６２４と、補間映像生成部６２６とを含む。
【００５３】
輝度／色差分離部６２２は、直前フレームのサブ映像（ｆｒｍ１＿＃１）に対応する映像信号と現在フレームのサブ映像（ｆｒｍ２＿＃１）とに対応する映像信号を各々輝度成分（ｂｒ１、ｂｒ２）と色差成分（図示せず）とに分離する。映像信号の輝度成分（ｂｒ１、ｂｒ２）は、明るさに関する情報を有し、色差成分は色差に関する情報、例えば色に関する情報を有する。
【００５４】
モーションベクターディテクタ６２４は、直前フレームのサブ映像（ｆｒｍ１＿＃１）と現在フレームのサブ映像（ｆｒｍ２＿＃１）とを比較して、物体（ＯＢＪ）のモーションベクタ（ＭＶ）を算出する。例えば、モーションベクターディテクタ６２４は、直前フレームのサブ映像（ｆｒｍ１＿＃１）の輝度成分（ｂｒ１）と現在フレームのサブ映像（ｆｒｍ２＿＃１）の輝度成分（ｂｒ２）との提供を受けて物体（ＯＢＪ）のモーションベクタ（ＭＶ）を算出する。モーションベクタ（ＭＶ）は、映像が含むある物体（ＯＢＪ）の動きを示す物理量である。
【００５５】
モーションベクターディテクタ６２４は、例えば、直前フレームのサブ映像（ｆｒｍ１＿＃１）の輝度成分（ｂｒ１）と現在フレームのサブ映像（ｆｒｍ２＿＃１）の輝度成分（ｂｒ２）とを分析して輝度分布が最も一致する領域に同一の物体（ＯＢＪ）が表示されると判断する。そして、直前フレームのサブ映像（ｆｒｍ１＿＃１）及び現在フレームのサブ映像（ｆｒｍ２＿＃１）での物体（ＯＢＪ）の動きからモーションベクタ（ＭＶ）を算出する。モーションベクタ（ＭＶ）の抽出については図７を参照してより具体的に後述する。
【００５６】
補間映像生成部６２６は、モーションベクターディテクタ６２４で算出したモーションベクタ（ＭＶ）を利用して、サブ補間フレーム（ｆｒｍ１．５＿＃１）での物体（ＯＢＪ）の位置を計算する。補間映像生成部６２６は、例えば、算出されたモーションベクタ（ＭＶ）に１／２加重値を付与して、１／２サブ補間フレーム（ｆｒｍ１．５＿＃１）に対応するサブ補間映像信号を生成する。
【００５７】
図７は、モーションベクターを算出してサブ補間フレームを生成することを説明するための概念図である。図７を参照して、第１映像補間チップ６２０がモーションベクタ（ＭＶ）を算出して、算出されたモーションベクタ（ＭＶ）を利用し、サブ補間フレーム（ｆｒｍ１．５＿＃１）を生成することについてより具体的に説明する。以下、第１映像補間チップ６２０に対してのみ説明するが、他の映像補間チップ（６３０、６４０、６５０）にも実質的に同一の説明が適用される。
【００５８】
図６および図７を参照すると、第１映像補間チップ６２０は、現在フレームのサブ映像（ｆｒｍ２＿＃１）に対応する映像信号と直前フレームのサブ映像（ｆｒｍ１＿＃１）に対応する映像信号とを比較して、物体（ＯＢＪ）を認識する。直前フレーム及び現在フレームで物体（ＯＢＪ）を認識できる方法として、例えば、ＳＡＤ（Ｓｕｍ  ｏｆ  Ａｂｓｏｌｕｔｅ  Ｄｉｆｆｅｒｅｎｃｅ）を用いることができる。
【００５９】
図７では、円形の物体（ＯＢＪ）が現在フレームのサブ映像（ｆｒｍ２＿＃１）及び直前フレームのサブ映像（ｆｒｍ１＿＃１）で同一の物体（ＯＢＪ）として認識されたものと図示されている。そして、直前フレームのサブ映像（ｆｒｍ１＿＃１）及び現在フレームのサブ映像（ｆｒｍ２＿＃１）での円形の物体（ＯＢＪ）の動きから算出されたモーションベクタ（ＭＶ）が矢印で図示されている。また、算出されたモーションベクタ（ＭＶ）に１／２加重値を付与して、１／２サブ補間フレーム（ｆｒｍ１．５＿＃１）に対応するサブ補間映像信号を生成することを図示している。すなわち、直前フレームのサブ映像（ｆｒｍ１＿＃１）にモーションベクタ（ＭＶ）に１／２加重値を付与したものを加えれば１／２サブ補間フレーム（ｆｒｍ１．５＿＃１）に対応するサブ補間映像信号を生成することができる。
【００６０】
図８は、図４に示す映像信号処理部の映像再配置部がサブ補間フレームに対応するサブ補間映像信号から補間フレームに対応する補間映像信号を出力することを説明するための図面である。図９は、図８に示す過程によって生成された補間映像を説明するための図である。
【００６１】
図４、図５および図８を参照すると、図４および図５を参照して前述したように、第１映像補間チップ６２０は、第１サブ映像（Ｓａｍｐｌｅ＃１）を成す原映像信号（ａ１、ａ２、ａ３、ａ４）の入力を受けて、第１サブ補間フレームを成すサブ補間映像信号（ａ１’、ａ２’、ａ３’、ａ４’）を出力する。同様に、第２映像補間チップ６３０は、第２サブ映像（Ｓａｍｐｌｅ＃２）を成す原映像信号（ｂ１、ｂ２、ｂ３、ｂ４）の入力を受けて、第２サブ補間フレームを成すサブ補間映像信号（ｂ１’、ｂ２’、ｂ３’、ｂ４’）を出力する。第３映像補間チップ６４０は、第３サブ映像（Ｓａｍｐｌｅ＃３）を成す原映像信号（ｃ１、ｃ２、ｃ３、ｃ４）の入力を受けて、第３サブ補間フレームを成すサブ補間映像信号（ｃ１’、ｃ２’、ｃ３’、ｃ４’）を出力する。第４映像補間チップ６５０は、第４サブ映像（Ｓａｍｐｌｅ＃４）を成す原映像信号（ｄ１、ｄ２、ｄ３、ｄ４）の入力を受けて、サブ補間フレームを成す第４サブ補間映像信号（ｄ１’、ｄ２’、ｄ３’、ｄ４’）を出力する。
【００６２】
図１に示すデータドライバ５００は、第１データ駆動チップ（ＩＣ、５１０）及び第２データ駆動チップ（ＩＣ、５２０）を含む。そして、図１に示す表示パネル３００に含まれる多数の画素（ＰＸ）、前述した表示ブロック（ＤＢ１〜ＤＢ４）各々に含まれる画素グループは、複数の部分、例えば、複数のブロックに区分することができる。例えば、図１に示す表示パネル３００を左右に分けて、表示パネル３００の左側に含まれた画素（ＰＸ）の集合である第１ブロックと右側に含まれた画素（ＰＸ）の集合である第２ブロックとに分けることができる。データドライバ５００の第１および第２データ駆動チップ５１０、５２０は、第１ブロックおよび第２ブロックに含まれた画素（ＰＸ）に映像データ電圧（ＩＤＡＴ＃１、ＩＤＡＴ＃２）を各々提供する。例えば、第１データ駆動チップ５１０は、第１ブロックに属した画素（ＰＸ）に映像データ電圧（ＩＤＡＴ＃１）を提供し、第２データ駆動チップ５２０は、第２ブロックに属した画素（ＰＸ）に映像データ電圧（ＩＤＡＴ＃２）を提供する。他の実施形態において、第１データ駆動チップ５１０は、第１ブロックに含まれた画素（ＰＸ）に対する映像データ電圧（ＩＤＡＴ＃２）を提供してもよく、第２データ駆動チップ５２０は、第２ブロックに含まれた画素（ＰＸ）に対する映像データ電圧（ＩＤＡＴ＃１）を提供してもよい。
【００６３】
映像再配置部（図示せず）は、サブ補間フレームに対応するサブ補間映像信号から補間フレームに対応する補間映像信号を出力する。映像再配置部は、例えば、モーション補償部（６２０、６３０、６４０、６５０）とデータドライバ５００との間に配置された線路または通信線路を利用して実現することができる。
【００６４】
さらに具体的に、第１映像補間チップ６２０が出力したサブ補間映像信号のうちａ１’、ａ３’と、第２映像補間チップ６３０が出力したサブ補間映像信号のうちｂ１’、ｂ３’と、第３映像補間チップ６４０が出力したサブ補間映像信号のうちｃ１’、ｃ３’と、第４映像補間チップ６５０が出力したサブ補間映像信号のうちｄ１’、ｄ３’とが第１データ駆動チップ５１０に提供され、第１映像補間チップ６２０が出力したサブ補間映像信号のうちａ２’、ａ４’と、第２映像補間チップ６３０が出力したサブ補間映像信号のうちｂ２’、ｂ４’と、第３映像補間チップ６４０が出力したサブ補間映像信号のうちｃ２’、ｃ４’と、第４映像補間チップ６５０が出力したサブ補間映像信号のうちｄ２’、ｄ４’とが第２データ駆動チップ５２０に提供されるように通信線路を配置してもよい。
【００６５】
映像再配置部は、また、サブ補間映像信号を次のような順序で出力して、第１および第２データ駆動チップ（５１０、５２０）に提供してもよい。第１データ駆動チップ５１０に提供されるサブ補間映像信号は、第１区間でａ１’、ｂ１’、第２区間でｃ１’、ｄ１’、第３区間でａ３’、ｂ３’、第４区間でｃ３’、ｄ３’の順に提供されてもよい。そして、第２データ駆動チップ５２０に提供されるサブ補間映像信号は第１区間でａ２’、ｂ２’、第２区間でｃ２’、ｄ２’、第３区間でａ４’、ｂ４’、第４区間でｃ４’、ｄ４’の順に提供されてもよい。
【００６６】
図８および図９を参照すると、第１データ駆動チップ５１０は、第１区間でａ１’、ｂ１’に対応する映像データ電圧を、第２区間でｃ１’、ｄ１’に対応する映像データ電圧を、第３区間でａ３’、ｂ３’に対応する映像データ電圧を、第４区間でｃ３’、ｄ３’に対応する映像データ電圧を、表示パネルの第１ブロックに属した画素に各々提供する。そして第２データ駆動チップ５２０は、第１区間でａ２’、ｂ２’に対応する映像データ電圧を、第２区間でｃ２’、ｄ２’に対応する映像データ電圧を、第３区間でａ４’、ｂ４’に対応する映像データ電圧を、第４区間でｃ４’、ｄ４’に対応する映像データ電圧を、表示パネルの第２ブロックに属した画素に各々提供する。
【００６７】
このように、図４に示す第１ないし第４映像補償部（６２０、６３０、６４０、６５０）が出力するサブ補間映像信号を再配置して補間映像信号として出力して、これに対応する補間映像を表示パネル上に表示することができる。
【００６８】
表示パネル上に表示される補間映像（ｉｎｔｅｒｐｏｌａｔｅｄ  ｉｍａｇｅ）が図９に図示されている。図９は、図５と同様に４×４マトリックス形状で配列された１６個の画素グループを含む表示パネルを例示的に図示しているが、これに限定されない。これと同様に、図９に示す表示パネル３００において第１ブロックは、第１および第２列に対応する画素グループの集合であり、第２ブロックは、第３および第４列に対応する画素グループの集合である。また、第１区間は第１ライン（１ｓｔ  ｌｉｎｅ）に含まれた画素グループが、オンされる時間に対応し、第２区間は第２ライン（２ｎｄ  ｌｉｎｅ）に含まれた画素がオンされる時間に対応し、第３区間は第３ライン（３ｒｄ  ｌｉｎｅ）に含まれた画素がオンされる時間に対応し、第４区間は第４ライン（４ｔｈ  ｌｉｎｅ）に含まれた画素がオンされる時間に対応する。
【００６９】
本発明の一実施形態による表示装置１０とその駆動方法によれば、表示パネルの１／ｋの解像度を有する映像に対応する映像信号を処理できる第１ないし第４映像補償部（６２０、６３０、６４０、６５０）を用いて高速映像を出力することができる。具体的に、前述したように、各サブ映像は、各表示ブロックが表示する映像をｋ個に分割した映像を組み合わせた映像であってもよい。したがって、各サブ映像は原映像に対応する原映像信号の１／ｋに対応するデータ量を有する。
【００７０】
そして、各サブ映像に対応するサブ映像信号が第１ないし第４映像補償部（６２０、６３０、６４０、６５０）に入力される。したがって、第１ないし第４映像補償部（６２０、６３０、６４０、６５０）は、表示パネルの１／ｋの解像度を有する映像に対応する映像信号を処理できればよい。このように、原映像信号の１／ｋに対応するデータ量を処理できる第１ないし第４映像補償部（６２０、６３０、６４０、６５０）を用いても高速映像を出力することができるため、表示品質を向上させて製造原価を節減することができる。
【００７１】
一方、本発明による一実施形態では、各映像補間チップ間に物体（ＯＢＪ）の動き情報を共有する必要がない。各映像補間チップ（６２０、６３０、６４０、６５０）は、映像補間チップに入力されたサブ映像に関する映像信号のみでサブ補間フレームに対応するサブ補間映像信号を生成することができるからである。したがって、映像補間チップ（６２０、６３０、６４０、６５０）の間に情報共有のための通信ポートのような手段は必要ない。
【００７２】
図１０および図１１を参照して、本発明の他の実施形態による表示装置とその駆動方法を説明する。図１０は、本発明の第２の実施形態による表示装置に含まれる映像信号処理部を説明するためのブロック図である。図１１は、図１０に示す映像信号処理が高速映像を出力することを説明するための概念図である。前述の第１の実施形態と実質的に同一の構成要素については同一の参照符号を使用し、第１実施形態と実質的に重複する説明は便宜上省略する。
【００７３】
本発明の第２の実施形態による表示装置とその駆動方法において、サブサンプリングおよびサブ補間映像信号の生成は、原映像信号をイーブン（ｅｖｅｎ）データとオッド（ｏｄｄ）データとに分けて処理する。例えば、イーブンデータとオッドデータとを互いに異なるサブサンプラおよび互いに異なる映像補間チップに入力して、サブサンプリングおよびサブ補間映像信号を生成する。ここで、イーブンデータとオッドデータとは、原映像信号が一連のデータを含むとするとき、一連のデータを交互に抽出したデータを意味してもよい。例えば、原映像信号が第１〜第ｎデータを含むと仮定すると、第１データをオッドデータ、第２データをイーブンデータ、第３データをオッドデータに区分する方式で、原映像信号に含まれた一連のデータをイーブンデータとオッドデータとに分けてもよい。
【００７４】
本発明の第２の実施形態による表示装置とその駆動方法において、表示装置が含む映像信号処理部（６０１＿１）は、例えば、図１０に示すようにイーブンおよびオッドサブサンプラ６１１、６１２と、モーション補償部（第１イーブンモーション補償部６２１、第２イーブンモーション補償部６３１、第１オッドモーション補償部６４１、第２オッドモーション補償部６５１）、第１イーブンメモリ６２９、第２イーブンメモリ６３９、第１オッドメモリ６４９、第２オッドメモリ６５９、および映像再配置部６６１を含む。
【００７５】
各サブサンプラ６１１、６１２には原映像信号（ＲＧＢ＿ｏｒｇ）がイーブンデータとオッドデータとに分けて入力される。イーブンサブサンプラ６１１は、イーブンデータをサブサンプリングし、原映像信号（ＲＧＢ＿ｏｒｇ）のイーブンデータをｋに分割したイーブンサブ映像信号（Ｅｖｅｎ  ｓａｍｐｌｅ＃１、Ｅｖｅｎ  ｓａｍｐｌｅ＃２）を出力する。オッドサブサンプラ６１２は、オッドデータをサブサンプリングし、原映像信号（ＲＧＢ＿ｏｒｇ）のオッドデータをｋ個に分割したオッドサブ映像信号（Ｏｄｄ  ｓａｍｐｌｅ＃１、Ｏｄｄ  ｓａｍｐｌｅ＃２）を出力する。ここで、ｋは２以上の自然数である。図１０では原映像信号（ＲＧＢ＿ｏｒｇ）を２分割した例（すなわち、ｋ＝２）を図示している。
【００７６】
各イーブン映像補間チップ６２１、６３１は、６０枚のフレームに対応するイーブンサブ映像信号（Ｅｖｅｎ  ｓａｍｐｌｅ＃１、Ｅｖｅｎ  ｓａｍｐｌｅ＃２）の提供を受けて、イーブンサブ映像信号の現在フレームと直前フレームとの間に挿入される三枚のイーブンサブ補間フレーム（第１イーブン映像補間チップ６２１は、ｅｖｅｎ  ｆｒｍ１．２５＿＃１、ｅｖｅｎ  ｆｒｍ１．５＿＃１、およびｅｖｅｎ  ｆｒｍ１．７５＿＃１、第２イーブン映像補間チップ６３１は、ｅｖｅｎ  ｆｒｍ１．２５＿＃２、ｅｖｅｎ  ｆｒｍ１．５＿＃２、およびｅｖｅｎ  ｆｒｍ１．７５＿＃２）に対応するイーブンサブ補間映像信号を生成して出力する。
【００７７】
第１イーブン映像補間チップ６２１を例に挙げて説明すると、第１イーブン映像補間チップ６２１は、現在フレームのイーブンサブ映像（ｅｖｅｎ  ｆｒｍ２＿＃１）に対応する映像信号と、直前フレームのイーブンサブ映像（ｅｖｅｎ  ｆｒｍ１＿＃１）に対応する映像信号とに基づいて、イーブンサブ補間フレーム（ｅｖｅｎ  ｆｒｍ１．２５＿＃１、ｅｖｅｎ  ｆｒｍ１．５＿＃１、およびｅｖｅｎ  ｆｒｍ１．７５＿＃１）に対応するイーブンサブ映像信号を生成する。第１イーブン映像補間チップ６２１は、直前フレームのイーブンサブ映像（ｅｖｅｎ  ｆｒｍ１＿＃１）に対応する映像信号とイーブンサブ補間フレーム（ｅｖｅｎ  ｆｒｍ１．２５＿＃１、ｅｖｅｎ  ｆｒｍ１．５＿＃１、およびｅｖｅｎ  ｆｒｍ１．７５＿＃１）に対応する映像信号とを出力する。
【００７８】
第１イーブン映像補間チップ６２１がイーブンサブ補間フレーム（ｅｖｅｎ  ｆｒｍ１．２５＿＃１、ｅｖｅｎ  ｆｒｍ１．５＿＃１、およびｅｖｅｎ  ｆｒｍ１．７５＿＃１）に対応するイーブンサブ映像信号を生成することは、現在フレームのイーブンサブ映像（ｅｖｅｎ  ｆｒｍ２＿＃１）に対応する映像信号と、直前フレームのイーブンサブ映像（ｅｖｅｎ  ｆｒｍ１＿＃１）に対応する映像信号とから算出されたモーションベクタ（ＭＶ）に互いに異なる加重値を付与してもよい。すなわち、モーションベクタ（ＭＶ）に１／４の加重値、１／２の加重値、および３／４の加重値を各々付与して、１／４イーブンサブ補間フレーム（ｅｖｅｎ  ｆｒｍ１．２５＿＃１）、１／２イーブンサブ補間フレーム（ｅｖｅｎ  ｆｒｍ１．５＿＃１）、および３／４イーブンサブ補間フレーム（ｅｖｅｎ  ｆｒｍ１．７５＿＃１）を各々生成することができる。第２イーブン映像補間チップ６３１にも実質的に同一の説明が適用される。
【００７９】
各オッド映像補間チップ６４１、６５１は、６０枚のフレームに対応するオッドサブ映像信号（Ｏｄｄ  ｓａｍｐｌｅ＃１、Ｏｄｄ  ｓａｍｐｌｅ＃２）の提供を受けて、オッドサブ映像信号の現在フレームと直前フレームとの間に挿入される三枚のオッドサブ補間フレーム（第１オッド映像補間チップ６４１はｏｄｄ  ｆｒｍ１．２５＿＃１、ｏｄｄ  ｆｒｍ１．５＿＃１、およびｏｄｄ  ｆｒｍ１．７５＿＃１、第２オッド映像補間チップ６５１はｏｄｄ  ｆｒｍ１．２５＿＃２、ｏｄｄ  ｆｒｍ１．５＿＃２、およびｏｄｄ  ｆｒｍ１．７５＿＃２）に対応するオッドサブ補間映像信号を生成して出力する。
【００８０】
第１オッド映像補間チップ６４１を例にあげて説明すると、現在フレームのオッドサブ映像（ｏｄｄ  ｆｒｍ２＿＃１）に対応する映像信号と直前フレームのオッドサブ映像（ｏｄｄ  ｆｒｍ１＿＃１）に対応する映像信号に基づいてオッドサブ補間フレーム（ｏｄｄ  ｆｒｍ１．２５＿＃１、ｏｄｄ  ｆｒｍ１．５＿＃１、およびｏｄｄ  ｆｒｍ１．７５＿＃１）に対応するオッドサブ映像信号を生成し、直前フレームのオッドサブ映像（ｏｄｄ  ｆｒｍ１＿＃１）に対応する映像信号とオッドサブ補間フレーム（ｏｄｄ  ｆｒｍ１．２５＿＃１、ｏｄｄ  ｆｒｍ１．５＿＃１、およびｏｄｄ  ｆｒｍ１．７５＿＃１）に対応する映像信号とを出力する。第２オッド映像補間チップ６５１にも実質的に同一の説明が適用される。
【００８１】
映像再配置部６６１は、生成されたイーブンサブ補間フレーム（ｅｖｅｎ  ｆｒｍ１．２５＿＃１、ｅｖｅｎ  ｆｒｍ１．５＿＃１、ｅｖｅｎ  ｆｒｍ１．７５＿＃１、ｅｖｅｎ  ｆｒｍ１．２５＿＃２、ｅｖｅｎ  ｆｒｍ１．５＿＃２、およびｅｖｅｎ  ｆｒｍ１．７５＿＃２）およびオッドサブ補間フレーム（ｏｄｄ  ｆｒｍ１．２５＿＃１、ｏｄｄ  ｆｒｍ１．５＿＃１、ｏｄｄ  ｆｒｍ１．７５＿＃１、ｏｄｄ  ｆｒｍ１．２５＿＃２、ｏｄｄ  ｆｒｍ１．５＿＃２、およびｏｄｄ  ｆｒｍ１．７５＿＃２）に対応する映像信号を再配置して１／４補間フレーム（ｆｒｍ１．２５）に対応する映像信号、１／２補間フレーム（ｆｒｍ１．５）に対応する映像信号、および３／４補間フレーム（ｆｒｍ１．７５）に対応する映像信号を出力する。映像再配置部６６１は、また、直前フレームのイーブンサブ映像（ｅｖｅｎ  ｆｒｍ１＿＃１、ｅｖｅｎ  ｆｒｍ１＿＃２）および直前フレームのオッドサブ映像（ｏｄｄ  ｆｒｍ１＿＃１、ｏｄｄ  ｆｒｍ１＿＃２）に対応する映像信号を再配置して、直前フレーム（ｆｒｍ１）に対応する映像信号を出力してもよい。
【００８２】
その結果、映像再配置部６６１は、モーション補償部（６２１、６３１、６４１、６５１）が出力するイーブンサブ補間映像信号およびオッドサブ補間映像信号を再配置し、直前フレームと現在フレームとの間に三枚の補間フレームが挿入された４倍速の高速映像信号（ＲＧＢ＿ｍｔｐ）すなわち、２４０枚のフレームで作られる２４０Ｈｚ映像信号を出力することができる。
【００８３】
図１０および図１１を参照すると、原映像信号（ＲＧＢ＿ｏｒｇ）がイーブンデータとオッドデータとに区分されて、互いに異なる映像補間チップに提供され、図１０を参照して前述したようにイーブンサブ補間フレーム（ｅｖｅｎ  ｆｒｍ１．２５＿＃１、ｅｖｅｎ  ｆｒｍ１．５＿＃１、ｅｖｅｎ  ｆｒｍ１．７５＿＃１、ｅｖｅｎ  ｆｒｍ１．２５＿＃２、ｅｖｅｎ  ｆｒｍ１．５＿＃２、およびｅｖｅｎ  ｆｒｍ１．７５＿＃２）およびオッドサブ補間フレーム（ｏｄｄ  ｆｒｍ１．２５＿＃１、ｏｄｄ  ｆｒｍ１．５＿＃１、ｏｄｄ  ｆｒｍ１．７５＿＃１、ｏｄｄ  ｆｒｍ１．２５＿＃２、ｏｄｄ  ｆｒｍ１．５＿＃２、およびｏｄｄ  ｆｒｍ１．７５＿＃２）に対応する映像信号が出力される。簡潔に示すため、図１１では第２イーブン映像補間チップ６３１が出力するイーブンサブ補間映像信号と第１オッド映像補間チップ６４１が出力するオッドサブ補間映像信号とは図示していない。しかし、第２イーブンモーション補償部６３１および第１オッドモーション補償部６４１から出力された映像信号は、第１イーブンモーション補償部６２１および第２オッドモーション補償部６５１から出力された映像信号と類似のものと理解される。
【００８４】
映像再配置部６６１は、第１イーブン映像補間チップ６２１が提供するイーブンサブ補間フレーム（ｅｖｅｎ  ｆｒｍ１＿＃１）に対応する映像信号、第２イーブン映像補間チップ６３１が提供するイーブンサブ補間フレーム（ｅｖｅｎ  ｆｒｍ１＿＃２）に対応する映像信号、第１オッド映像補間チップ６４１が提供するオッドサブ補間フレーム（ｏｄｄ  ｆｒｍ１＿＃１）に対応する映像信号、第２オッド映像補間チップ６５１が提供するオッドサブ補間フレーム（ｏｄｄ  ｆｒｍ１＿＃２）に対応する映像信号を再配置して、直前フレーム（ｆｒｍ１）を出力する。
【００８５】
映像再配置部６６１はまた、イーブンサブ補間フレームに対応するイーブンサブ補間映像信号とオッドサブ補間フレームに対応するオッドサブ補間映像信号とから補間フレームに対応する補間映像信号を出力してもよい。
【００８６】
具体的に、映像再配置部６６１は、第１イーブン映像補間チップ６２１が提供するイーブンサブ補間フレーム（ｅｖｅｎ  ｆｒｍ１．２５＿＃１）に対応する映像信号、第２イーブン映像補間チップ６３１が提供するイーブンサブ補間フレーム（ｅｖｅｎ  ｆｒｍ１．２５＿＃２）に対応する映像信号、第１オッド映像補間チップ６４１が提供するオッドサブ補間フレーム（ｏｄｄ  ｆｒｍ１．２５＿＃１）に対応する映像信号、第２オッド映像補間チップ６５１が提供するオッドサブ補間フレーム（ｏｄｄ  ｆｒｍ１．２５＿＃２）に対応する映像信号を再配置して、１／４補間フレーム（ｆｒｍ１．２５）を出力する。同様に１／２補間フレーム（ｆｒｍ１．５）および３／４補間フレーム（ｆｒｍ１．７５）を出力する。その原理は、本発明の第１実施形態において、図８および図９を参照して説明したものと実質的に同一であるため、これに対する詳細な説明は便宜上省略する。
【００８７】
図１１で、例えば、４倍速の高速映像信号（ＲＧＢ＿ｍｔｐ）を含むフレームが出力される時間間隔は１／２４０秒である。４倍速の高速映像信号（ＲＧＢ＿ｍｔｐ）は、直前フレーム（ｆｒｍ１）と現在フレーム（ｆｒｍ２）との間に１／４補間フレーム（ｆｒｍ１．２５）、１／２補間フレーム（ｆｒｍ１．５）、および３／４補間フレーム（ｆｒｍ１．７５）が挿入された映像信号である。１／２補間フレーム（ｆｒｍ１．５）は、直前フレーム（ｆｒｍ１）と現在フレーム（ｆｒｍ２）との中間に挿入され、１／４補間フレーム（ｆｒｍ１．２５）は、直前フレーム（ｆｒｍ１）と１／２補間フレーム（ｆｒｍ１．５）との中間に挿入され、３／４補間フレーム（ｆｒｍ１．７５）は、１／２補間フレーム（ｆｒｍ１．５）と現在フレーム（ｆｒｍ２）との中間に挿入される。このように、本来のフレーム（ｆｒｍ１、ｆｒｍ２）の間に補間フレーム（ｆｒｍ１．２５、ｆｒｍ１．５、およびｆｒｍ１．７５）を挿入することによって表示装置の表示品質が向上することができる。
【００８８】
第１実施形態および第２実施形態による表示装置とその駆動方法において、サブサンプラが原映像信号のデータ、またはオッド／イーブンデータを分割するｋの値が互いに同一であると仮定するとき、本発明の第２実施形態による表示装置とその駆動方法は、第１実施形態に比べ、各映像補間チップが処理するデータ量の半分を減少させることができる。これは、原映像信号（ＲＧＢ＿ｏｒｇ）をイーブンデータ及びオッドデータすなわち、２個のデータに区分して互いに異なる映像補間チップがこれを各々処理するようにすることができるからである。
【００８９】
処理しなければならないデータ量が半分に減るため、本発明による第1の実施形態における映像補間チップと同一のデータ量を処理できる映像補間チップを用いても、各映像補間チップが三枚の補間フレームを含む映像を出力するようにすることができる。すなわち、６０Ｈｚの原映像信号に基づいて、図１０および図１１による実施形態の映像補間チップを用いて２４０Ｈｚの高速映像を出力することができる。
【００９０】
また、本発明の第２の実施形態による表示装置とその駆動方法において、原映像信号（ＲＧＢ＿ｏｒｇ）をイーブンデータ及びオッドデータすなわち、２個のデータに区分して処理しているが、本発明がこれに限定されないのはもちろんである。すなわち、本発明は原映像信号（ＲＧＢ＿ｏｒｇ）を一般的にｎ個のデータに区分して処理することができる。この場合、本発明による一実施形態において、６０Ｈｚの原映像信号から１２０Ｈｚの高速映像を出力していたものを、本発明の第２の実施形態では、６０Ｈｚの原映像信号から２４０Ｈｚの高速映像を出力することができる。
【００９１】
図１２および図１３を参照して、本発明の第３の実施形態による表示装置とその駆動方法を説明する。図１２は、本発明の第３の実施形態による表示装置に含まれる映像信号処理部を説明するためのブロック図である。図１３は、図１２に示すサブサンプリングによって抽出されたサブ映像とアップ−コンバータによって出力される補間フレームを示すための図である。本発明による一実施形態と実質的に同一の構成要素に対しては同一の参照符号を使って、本発明による一実施形態と実質的に重複する説明は便宜上省略する。
【００９２】
本発明の第３の実施形態による表示装置とその駆動方法において、サブサンプリングおよびサブ補間映像信号の生成は、各表示ブロックがｋ個（ここで、ｋは２以上の自然数）の画素グループを含む多数の表示ブロックそれぞれの何れか一つの画素グループに対応する原映像信号をサブサンプリングしたサブ映像信号を抽出し、抽出されたサブ映像信号からサブ補間映像信号を生成することを含む。そして、補間映像信号を出力することは、生成されたサブ補間映像信号を利用してサンプリングされない画素グループに対応する映像信号を生成し、補間映像信号を出力することを含む。
【００９３】
本発明の第３の実施形態による表示装置が含む映像信号処理部（６０２＿１）は例えば、図１２に示すようにサブサンプラ６１２、モーション補間部、フレームメモリ６２８、およびアップ−コンバータ６７０を含む。
【００９４】
サブサンプラ６１２は、原映像信号（ＲＧＢ＿ｏｒｇ）をサブサンプリングして、原映像信号（ＲＧＢ＿ｏｒｇ）をｋ分割したサブ映像信号のうち何れか一つ（例えば、ｓａｍｐｌｅ＃１）を出力する。ここでｋは２以上の自然数である。図１３では原映像信号（ＲＧＢ＿ｏｒｇ）を４分割した例（すなわち、ｋ＝４）を図示している。この場合、サブ映像信号（ｓａｍｐｌｅ＃１）は原映像信号（ＲＧＢ＿ｏｒｇ）を４分割したものの何れかの一に対応する。このようにサブサンプラ６１２は、各表示ブロックがｋ個の画素を含む多数の表示ブロックそれぞれの何れか一つの画素に対応する原映像信号をサブサンプリングしたサブ映像信号を抽出する。
【００９５】
また、原映像信号（ＲＧＢ＿ｏｒｇ）をサブサンプリングすることは、各表示ブロックから規則的に何れか一つの画素グループを選択し、選択された画素グループに対応する原映像信号（ＲＧＢ＿ｏｒｇ）をサンプリングすることを含んでもよい。例えば図１３に示すように、各表示ブロックの左側上段に位置する画素グループを選択し、これに対応する原映像信号（ＲＧＢ＿ｏｒｇ）をサンプリングしてもよい。
【００９６】
モーション補間部は、サブサンプリングされたサブ映像信号（ｓａｍｐｌｅ＃１）からサブ補間フレーム（ｆｒｍ１．５＿＃１）に対応するサブ補間映像信号を生成するこ。モーション補間部は、図示するように、１個の映像補間チップ（モーション補償部６２０）を備える形態で実現することができるが、これに限定されるものではない。さらに、モーション補償部６２０は、表示パネル（図１に示す３００参照）の１／ｋの解像度を有する映像に対応する映像信号を処理できる一つの映像補間チップによって実現することができる。
【００９７】
映像補償部６２０は、サブサンプラ６１２から現在フレームのサブ映像（ｆｒｍ２＿＃１）に対応するサブ映像信号の提供を受けて、フレームメモリ６２８に保存された直前フレームのサブ映像（ｆｒｍ１＿＃１）に対応するサブ映像信号を読み出し、現在フレームと直前フレームとに対応するサブ映像信号の入力を受けることができる。このように映像補間チップ６２０は、６０枚のフレームに対応するサブ映像信号（ｓａｍｐｌｅ＃１）の提供を受けて、直前フレームのサブ映像（ｆｒｍ１＿＃１）に対応するサブ映像信号と、サブ映像信号の現在フレームと直前フレームとの間に挿入されるサブ補間フレーム（ｆｒｍ１．５＿＃１）に対応するサブ補間映像信号とを生成して出力する。
【００９８】
アップ−コンバータ６７０は、スーパーレゾルーション（ｓｕｐｅｒ  ｒｅｓｏｌｕｔｉｏｎ）またはアップ−コンバージョン（ｕｐ−ｃｏｎｖｅｒｓｉｏｎ）を実行する。一般的にスーパーレゾルーションまたはアップ−コンバージョンは、相対的に低い解像度の入力イメージ情報を利用して相対的に高い解像度を有するイメージを生成する技法を含む。アップ−コンバータ６７０は、生成されたサブ補間映像信号を利用してサンプリングされない画素に対応する補間映像信号を生成することができる。
【００９９】
図１３に示す補間フレーム（ｉｎｔｅｒｐｏｌａｔｅｄ  ｆｒａｍｅ）で、ｂ１’’、ｂ２’’、ｃ１’’、ｃ２’’、ｄ１’’、ｄ２’’は、サンプリングされない画素グループに対応する補間映像信号である。このようにサンプリングされない画素グループに対応する補間映像信号の生成は、サブ補間映像信号を補間（interpolate）して生成することができる。例えば、図１２に示すように、ｂ１’’はａ１’とａ２’との平均値で、ｃ１’’はａ１’とａ３’との平均値で、ｄ１’’はａ１’とａ４’との平均値で生成することができる。但し、本発明はこれに限定されるものではない。例えば、スーパーレゾルーションまたはアップ−コンバージョンに使用される多様な種類のアルゴリズムが表示装置の解像度や使用目的によって選択的に使用され得る。
【０１００】
本発明の実施形態による映像信号処理部（６０２＿１）は、映像再配置部（図４および図１０参照）をさらに含んでもよい。映像再配置部は、生成された補間映像信号と、サンプリングされない画素グループに対応する補間映像信号とを再配置して出力し、これらを図１３に示すような補間映像に対応するようにすることができる。
【０１０１】
本発明の第３の実施形態による表示装置とその駆動方法によれば、表示パネルのｋ／１の解像度を有する映像に対応する映像信号を処理できる一つの映像補間チップを用いて高速映像を出力することができる。具体的に、前述したように、サブ映像は原映像に対応する原映像信号の１／ｋに対応するデータ量を有する。したがって、映像補間チップは、表示パネルのｋ／１の解像度を有する映像に対応する映像信号を処理できればよい。このように、原映像信号の１／ｋに対応するデータ量を処理できる映像補間チップ６２０を一つだけ用いても高速映像を出力することができるため、表示品質を実質的に向上させて製造原価を実質的に節減することができる。
【０１０２】
図１４および図１５を参照して本発明の第４の実施形態による表示装置とその駆動方法を説明する。図１４は、本発明の第４の実施形態による表示装置に含まれる映像信号処理部を説明するためのブロック図である。図１５は、本発明の第４の実施形態による表示装置の駆動方法を説明するためのフローチャートである。前述した実施形態と実質的に同一の構成要素に対しては同一の参照符号を使って、前述した実施形態と実質的に重複する説明は便宜上省略する。
【０１０３】
本発明の第４の実施形態による表示装置とその駆動方法において、表示装置は原映像信号の連続する二つのフレームが動的（ｄｙｎａｍｉｃ）であるか、静的（ｓｔａｔｉｃ）であるかを判断し、その結果に応じて異なる動作をすることができる。
【０１０４】
本発明の第４の実施形態による表示装置に含まれる映像信号処理部（６０３＿１）は、原映像信号（ＲＧＢ＿ｏｒｇ）の連続する二つのフレームが動的であれば、前記連続する二つのフレームに対して、サブサンプリング、サブ補間映像信号の生成およびサブ補間映像信号の再配置を実行する。これとは異なり、原映像信号の連続する二つのフレームが静的であれば、前記連続する二つのフレームに対して、直前フレームに対応する原映像信号を補間映像信号としてそのまま使用する。
【０１０５】
映像信号処理部（６０３＿１）は、例えば、図１４に示すようにモーションディテクタ６８０とサブサンプラ６１３とモーション補償部６２３、メモリ（図示せず）、およびアップ−コンバータ６７３を含む。
【０１０６】
モーションディテクタ６８０は、原映像信号（ＲＧＢ＿ｏｒｇ）の連続する二つのフレーム、例えば直前フレーム（ｆｒｍ１）と現在フレーム（ｆｒｍ２）とを比較して、二つのフレームが動的であるかまたは静的であるかを判断する。直前フレーム（ｆｒｍ１）と現在フレーム（ｆｒｍ２）とが異なると、動的であると判断し、直前フレーム（ｆｒｍ１）と現在フレーム（ｆｒｍ２）とが実質的に同一であれば静的であると判断する。そして判断結果によって、映像信号処理部（６０３＿１）が動的モード（ｄ＿ｍｏｄｅ）で動作するようにする制御信号（ｅｎ１（ｄ＿ｍｏｄｅ））または静的モード（ｓ＿ｍｏｄｅ）で動作するようにする制御信号（ｅｎ２（ｓ＿ｍｏｄｅ））を出力する。
【０１０７】
制御信号（ｅｎ１（ｄ＿ｍｏｄｅ））は、サブサンプラ６１３を活性化してサブ映像（ｓａｍｐｌｅ＃１）に対応するサブ映像信号を抽出するようにし、モーション補償部６２３が動的モード（ｄ＿ｍｏｄｅ）で動作するようにし、アップ−コンバータ６７３を活性化してモーション補償部６２３が生成したサブ補間映像信号に基づいて補間映像信号を出力するようにする。モーション補償部６２３が動的モード（ｄ＿ｍｏｄｅ）であるとき、直前フレームに対応するサブ映像（ｆｒｍ１＿＃１）の映像信号に１／２の加重値を付与したモーションベクタ（ＭＶ）を追加した映像信号が補間フレームのサブ補間フレーム（ｆｒｍ１．５＿＃１）の映像信号として出力される。サブサンプラ６１３とアップ−コンバータ６７３との具体的な機能及び動作は本発明の第３実施形態と実質的に同一であるため詳細な説明を便宜上省略する。
【０１０８】
制御信号（ｅｎ２（ｓ＿ｍｏｄｅ））は、サブサンプラ６１３およびアップ−コンバータ６７３を非活性化して、モーション補償部６２３が静的モード（ｓ＿ｍｏｄｅ）で動作するようにする。モーション補償部６２３が静的モード（ｓ＿ｍｏｄｅ）で動作するとき、直前フレーム（ｆｒｍ１）の映像信号を補間フレーム（ｆｒｍ１．５）の映像信号としてそのまま使用する。
【０１０９】
図１５は、本発明の第４実施形態による表示装置の駆動方法を説明するためのフローチャートである。
【０１１０】
図１５を参照すると、先に入力映像が動的映像または静的映像（停止映像）であるかを判断する（Ｓ８００）。入力映像が動的映像であるか否かを判断した結果、入力映像が動的映像であれば、続けてサブサンプリングを行う（Ｓ８１０）。
【０１１１】
続いて、サブサンプリングされたサブ映像信号からサブ補間映像信号を生成する（Ｓ８２０）。続いて、生成されたサブ補間映像信号をアップ−コンバージョンして補間映像信号を生成する（Ｓ８３０）。続いて、生成された補間映像信号に対応する補間フレームを含む高速映像信号を出力する（Ｓ８５０）。
【０１１２】
入力映像が動的映像であるか否かを判断した結果、入力映像が静的映像であれば、直前フレームに対応する映像信号を補間フレームの映像信号としてそのまま使用する（Ｓ８４０）。続いて、直前フレームに対応する映像信号をそのまま利用した補間フレームを含む高速映像信号を出力する（Ｓ８５０）。
【０１１３】
本発明の第４の実施形態による表示装置とその駆動方法において、入力映像が動的映像であるか、静的映像であるかを判断することは前述したものとは異なり、サブサンプリング、サブ補間フレーム生成およびアップ−コンバージョン後で行われてもよい。例えば、サブ補間フレーム生成およびアップ−コンバージョンを経て補間フレームを生成し、原映像信号の連続する二つのフレームが動的であるか否かを判断した後、原映像信号の連続する二つのフレームが動的であれば、生成された補間フレームを挿入し、原映像信号の連続する二つのフレームが静的であれば補間フレームの代わりに直前フレームを挿入する方式で実現することもできる。すなわち、本発明の第４実施形態は原映像信号の連続する二つのフレームが動的であるか否かを判断して、動的映像に対してのみサブ補間フレーム生成およびスーパーレゾルーションを行って得られる補間フレームを挿入する構造と駆動方法とをすべて含む。
【０１１４】
したがって、本発明の第４の実施形態による表示装置とその駆動方法によれば、動的映像に対してのみサブ補間フレーム生成およびスーパーレゾルーションを行って得られる補間フレームを使用するため、静的映像にサブ補間フレーム生成およびスーパーレジョルリュション技法を適用して生じ得る表示品質低下の可能性を減らすことができる。
【０１１５】
また、別途に図面を参照して説明していないが、本発明の第４実施形態における原映像信号の連続する二つのフレームが動的であるか否かを判断し、原映像信号の連続する二つのフレームが動的であれば、二つのフレームに対してサブサンプリング、サブ補間映像信号の生成およびサブ補間映像信号の再配置を実行し、原映像信号の連続する二つのフレームが静的であれば、二つのフレームに対して直前フレームに対応する原映像信号を補間映像信号として用いることは本発明の第１ないし第３実施形態でも適用され得る。
【０１１６】
以上、図面を参照して本発明の実施形態について説明したが、本発明が属する技術分野で通常の知識を有する者は、本発明が、その技術的思想や必須の特徴を変更せずに他の具体的な形態で実施され得ることを理解することができる。したがって、上記実施形態はすべての面で例示的なものであり、限定的でないものと理解しなければならない。
【符号の説明】
【０１１７】
１０    表示装置
１００    第１表示板
１５０    液晶分子層
２００    第２表示板
３００    表示パネル
４００    ゲートドライバ
５００    データドライバ
６００    信号制御部
６００＿１    映像信号処理部
６００＿２    制御信号生成部
６１０    サブサンプラ
６２０    第１映像補間チップ
６３０    第２映像補間チップ
６２８    第１メモリ
６３８    第２メモリ
６６０    映像再配置部
７００    階調電圧発生部
【図１】
2010140028.tif 000003
【図２】
2010140028.tif 000004
【図３】
2010140028.tif 000005
【図４】
2010140028.tif 000006
【図５】
2010140028.tif 000007
【図６】
2010140028.tif 000008
【図７】
2010140028.tif 000009
【図８】
2010140028.tif 000010
【図９】
2010140028.tif 000011
【図１０】
2010140028.tif 000012
【図１１】
2010140028.tif 000013
【図１２】
2010140028.tif 000014
【図１３】
2010140028.tif 000015
【図１４】
2010140028.tif 000016
【図１５】
2010140028.tif 000017